(57)【要約】【課題】魚のうろこを簡単確実に剥ぎ取るとともに、効率よく回収する。【解決手段】エアモータ２と、エアモータ２の回転軸２２に連結され、長手方向に多数の刃先３２１を形成した複数枚の剥離刃３２が筒体３１に周方向に間隔をおいて固定された刃体３と、刃体３の周囲を覆うとともに刃体３に対応して切欠部４１ａが形成されてエアモータ２に固定された略円筒状のカバー４とからうろこ取り機１が構成される。そして、エアモータ２に供給された圧縮エアによって回転軸２２を介して刃体３を回転させた状態で、魚Ｆの表面に刃体３の刃先３２１を軽く接触させ、尾側から頭部に向けて移動させることにより、うろこを剥ぎ取るとともに、圧縮エアの排気をカバー４に沿って吹き出させて、剥ぎ取ったうろこを吹き飛ばして捕集ネット５に回収する。【選択図】図１
2011217660.tif 000002
【特許請求の範囲】
【請求項１】
エアモータと、エアモータの回転軸に連結され、長手方向に多数の刃先を形成した複数枚の剥離刃が筒体に周方向に間隔をおいて固定された刃体と、刃体の周囲を覆うとともに刃体に対応して切欠部が形成されてエアモータに固定された略円筒状のカバーとから構成され、エアモータに供給された圧縮エアによって回転軸を介して刃体を回転させ、魚のうろこを剥ぎ取るとともに、吹き出された圧縮エアの排気によって剥ぎ取られたうろこをカバーの先方から吹き飛ばすことを特徴とする魚のうろこ取り機。
【請求項２】
請求項１記載の魚のうろこ取り機において、前記カバーの先端部に捕集ネットが着脱自在に装着されることを特徴とする魚のうろこ取り機。
【発明の詳細な説明】
【技術分野】
【０００１】
この発明は、魚のうろこ取り機に関するものである。
【背景技術】
【０００２】
一般に、魚を調理するとき、包丁の刃先を魚の表面にあてがい、その尾の方から頭部に向かって包丁を繰り返し移動させることにより、うろこを引っ掛けて剥ぎ取るようにしている。
【０００３】
一方、魚を大量に処理する加工場や、魚市場などにおいては、手作業では疲労も大きく、また、処理できる量に限度があるため、モータを利用して剥離刃を回転させ、魚のうろこを剥ぎ取ることも提案され、実施されている（例えば、特許文献１参照）。
【先行技術文献】
【特許文献】
【０００４】
【特許文献１】実公平１−３５１８５号公報
【発明の概要】
【発明が解決しようとする課題】
【０００５】
ところで、前述した魚のうろこ取り機においては、魚から剥離したうろこが剥離刃の多数の突起の根元において筒体表面に付着して溜まるため、徐々にうろこの剥離能力が低下し、作業を中断して付着したうろこを掻き落とす必要があり、作業効率が低下するものとなっていた。
【０００６】
また、うろこからコラーゲンを抽出する試みが提案されており、うろこを再利用するためには、剥離したうろこを効率よく回収する必要がある。しかしながら、通常、剥離したうろこは、水で洗い流すことから、調理に際して発生した臓物やえらなどの不用物と混ざり合い、うろこを回収するためには、不用物を選別しなければならず、作業が複雑になるとともに、コストがかさむという欠点があった。
【０００７】
本発明は、このような問題点に鑑みてなされたもので、魚のうろこを簡単確実に剥ぎ取るとともに、効率よく回収することのできる魚のうろこ取り機を提供するものである。
【課題を解決するための手段】
【０００８】
本発明は、エアモータと、エアモータの回転軸に連結され、長手方向に多数の刃先を形成した複数枚の剥離刃が筒体に周方向に間隔をおいて固定された刃体と、刃体の周囲を覆うとともに刃体に対応して切欠部が形成されてエアモータに固定された略円筒状のカバーとから構成され、エアモータに供給された圧縮エアによって回転軸を介して刃体を回転させ、魚のうろこを剥ぎ取るとともに、吹き出された圧縮エアの排気によって剥ぎ取られたうろこをカバーの先方から吹き飛ばすことを特徴とするものである。
【０００９】
本発明によれば、エアモータを把持するとともに、操作レバーを把握すると、給気バルブが開放位置に切り換えられて圧縮エアが供給され、回転軸を回転させる。回転軸が回転すると、刃体を連動して回転させることから、カバーの切欠部を通して刃体の剥離刃の刃先を魚の表面にあてがうとともに、その表面に沿って尾側から頭部に向かって移動させることにより、魚のうろこを順次剥ぎ取ることができる。この際、エアモータに供給された圧縮エアの排気が先端から吹き出されて略円筒状のカバーに沿って排出されることにより、剥ぎ取られたうろこは、カバーの先方に向けて吹き飛ばされる。これにより、うろこを刃体の各剥離刃の刃先によって簡単に、かつ、確実に剥ぎ取ることができるとともに、剥ぎ取ったうろこを刃体の表面に付着させることなく吹き飛ばして一定位置に集めることができる。また、エアモータを利用することにより、電動モータを利用する場合のように、水を利用する環境下での感電事故を発生させることがなく、安全に作業を行うことができる他、フレキシブルシャフトを利用して機械的に動力を伝動する場合に比較して操作性も良好となる。
【００１０】
この結果、魚のうろこを簡単に、かつ、確実に剥ぎ取ることができるとともに、うろこのみを回収することができ、うろこの再利用を図ることができる。
【００１１】
本発明において、前記カバーの先端部に捕集ネットが着脱自在に装着されることが好ましい。これにより、魚から順次剥ぎ取られたうろこを圧縮エアの排気によってカバーの先方に向けて吹き飛ばし、捕集ネットに確実に捕集することができ、うろこの回収をコストをかけることなく簡単に行うことができる。
【発明の効果】
【００１２】
本発明によれば、魚のうろこを簡単確実に剥ぎ取るとともに、効率よく回収することができる。
【図面の簡単な説明】
【００１３】
【図１】本発明の魚のうろこ取り機の一実施形態をうろこを剥離する魚とともに示す斜視図である。
【図２】図１の魚のうろこ取り機を一部省略して示す正面図である。
【発明を実施するための形態】
【００１４】
以下、本発明の実施の形態を図面に基づいて説明する。
【００１５】
図１には、本発明の魚のうろこ取り機１の一実施形態が示されている。
【００１６】
このうろこ取り機１は、エアモータ２と、エアモータ２の回転軸２２に連結された刃体３と、刃体３の周囲を覆ってエアモータ２に固定されたカバー４と、カバー４の先端に着脱自在に装着された捕集ネット５とから構成されている。
【００１７】
エアモータ２は、詳細には図示しないが、ケーシング２１内に組み込んだシリンダ内に半径方向に摺動自在な複数枚のベーンを有するロータを配設し、圧縮エアの供給によってロータを回転させ、ロータ軸に連結された回転軸２２を回転させる、従来公知のものである。そして、エアモータ２のケーシング２１には、ロータへ圧縮エアを供給し、あるいは、その供給を遮断する給気バルブの操作レバー２３がその基端を支点として回動自在に設けられており、通常、操作レバー２３の安全レバー２４がケーシング２１の表面に突き当てられて操作レバー２３を給気バルブのバルブロッド２５先端からほぼ離脱する位置に支持し、給気バルブを圧縮エアの供給遮断位置に保持している。
【００１８】
一方、安全レバー２４を操作レバー２３側に折り込んで操作レバー２３を把握することにより、操作レバー２３を介して給気バルブのバルブロッド２５を図示しないスプリングの付勢力に抗して押し込み、圧縮エアを供給する位置に切り換えることができる。この結果、エアホースｈを通して供給された圧縮エアを図示しないロータに供給して回転軸２２を回転させることができ、その排気は、ケーシング２１の先端面に形成された複数個の排気口２１ａから吹き出される。
【００１９】
刃体３は、エアモータ２の回転軸２２にチャック２６を介して連結可能なシャフト３１１を有する筒体３１と、筒体３１に周方向に間隔をおいて、具体的には、９０度の間隔をおいて固定された４枚の剥離刃３２とからなり、各剥離刃３２には、長手方向に沿って多数の刃先３２１が形成されている。ここで、刃体３の外径は、エアモータ２のケーシング２１の外径よりも小さく設定されている。
【００２０】
カバー４は、エアモータ２のケーシング２１の外径に相当する内径の円筒形状の本体４１と、本体４１をエアモータ２のケーシング２１の先端に固定する締結バンド４２とからなり、本体４１には、刃体３における剥離刃３２の刃先３２１が本体４１の外周面から突出するように、先端縁から刃体３を越える長さと、刃体３の外径よりも大きな幅とからなる切欠部４１ａが形成されている。
【００２１】
捕集ネット５は、網を袋状に形成したものであり、ゴムバンドや紐などによって先端開口部がカバー４の本体４１の先端部に着脱自在に装着されている。
【００２２】
次に、このように構成されたうろこ取り機１を用いて魚Ｆのうろこを剥ぎ取る場合を説明する。
【００２３】
エアモータ２の給気口にエアホースｈを接続した状態で、エアモータ２を把持するとともに、安全レバー２４を内方に折り込んで操作レバー２３を把握すると、給気バルブのバルブロッド２５が押し込められ、給気バルブを圧縮エアの供給位置に切り換えることができる。これにより、エアモータ２の回転軸２２が回転し、回転軸２２に連結された刃体３も同方向に回転する一方、圧縮エアの排気は、排気口２１ａを通してケーシング２１の先端から吹き出され、カバー４を通して外部に排出される。そして、操作レバー２３を把握したまま、カバー４の本体４１の切欠部４１ａを通して突出する刃体３の剥離刃３２の刃先３２１を魚Ｆの表面に軽く接触させるとともに、尾側から頭部に向かって移動させると、各剥離刃３２の多数の刃先３２１がうろこに引っ掛かり、うろこを順次剥ぎ取ることができる。刃体３によって剥ぎ取られたうろこは、エアモータ２のケーシング２１の先端面に形成された排気口２１ａから吹き出される圧縮エアの排気がカバー４の本体４１に沿って排出されることにより、魚Ｆから剥離されると同時に吹き飛ばされ、カバー４の本体４１内を空気輸送されて捕集ネット５に捕集される。
【００２４】
以下同様に、操作レバー２３を把握した状態で、カバー４の切欠部４１ａを通して刃体３の剥離刃３２の刃先３２１を軽く魚Ｆの表面にあてがい、尾側から頭部に向かって繰り返し移動させることにより、魚Ｆのうろこを剥ぎ取るとともに、剥ぎ取ったうろこを捕集ネット５に捕集する。
【００２５】
このように、操作レバー２３を把握した状態で魚Ｆの表面に沿って移動させる簡単な作業によって魚Ｆのうろこを剥ぎ取ることができるとともに、剥ぎ取ったうろこを確実に捕集ネット５に回収することができる。
【符号の説明】
【００２６】
１  うろこ取り機
２  エアモータ
２１  ケーシング
２１ａ  排気口
２２  回転軸
２３  操作レバー
３  刃体
３１  筒体
３２  剥離刃
３２１  刃先
４  カバー
４１  本体
４１ａ  切欠部
５  捕集ネット
【図１】
2011217660.tif 000003
【図２】
2011217660.tif 000004